(57)【特許請求の範囲】
【請求項１】
電気部品が装着される箱本体と、
弾性材料で構成され、かつ前記箱本体に取り付けられるとともに、前記箱本体に取り付けられると該箱本体との間を水密に保つカバー部材と、を備えた電気接続箱において、
前記箱本体と前記カバー部材とのうち一方は、他方に向かって立設した立設片を備え、
前記箱本体と前記カバー部材とのうち他方は、前記立設片が圧入される圧入受け部を備え、
前記圧入受け部よりも前記箱本体と前記カバー部材とのうち他方の内側に配置されて、前記立設片が前記圧入受け部内に圧入された際に、当該圧入受け部に当接して、前記圧入受け部が前記他方の内側に向かって変形することを規制する変形規制部を備え、
前記立設片には、該立設片の外表面に開口してスリットが設けられ、
前記立設片が前記圧入受け部内に圧入された後、前記スリット内に圧入される圧入部材を備えたことを特徴とする電気接続箱。
【請求項２】
前記箱本体は、
前記電気部品が装着される本体部と、
該本体部を収容するとともに、前記立設片と前記圧入受け部とのうち一方が設けられたカバー部と、
を備えたことを特徴とする請求項１記載の電気接続箱。
【請求項３】
前記圧入受け部が、前記カバー部に備えられ、
前記立設片が、前記カバー部材に備えられ、
前記変形規制部は、前記本体部に設けられたことを特徴とする請求項２記載の電気接続箱。
【請求項４】
前記変形規制部は、前記本体部の外表面から凸に形成され、かつ前記圧入受け部より前記カバー部の内側に配置されたことを特徴とする請求項３記載の電気接続箱。
【請求項５】
前記圧入部材は、前記スリット内に圧入される圧入部と、この圧入部の一端部から凸でかつ前記圧入部が前記スリット内に圧入されると前記立設片の前記外表面に重なって前記立設片の外側に露出する操作部と、を備えたことを特徴とする請求項１乃至請求項４のうちいずれか一項に記載の電気接続箱。
【請求項６】
前記立設片に、前記圧入受け部の内面との間を水密に保つリップが設けられていることを特徴とする請求項１乃至請求項５のうちいずれか一項に記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類などの多種多様な電子機器が搭載されている。
【０００３】
前述した多種多様な電子機器に電力を供給するために、前記自動車は、種々のジャンクションブロックを適宜箇所に配置してきた。前記ジャンクションブロックは、多数のヒューズやリレー等の各種の電気回路ユニットを集約して構成されたものが提案されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
前述した従来から提案されてきた電気接続箱は、外郭を形成する箱本体と、箱本体に取り付けられるカバー部材などを備えている。箱本体は、上面に前述したリレー、ヒューズやヒュージブルリンクなどの電気部品が装着される装着部を複数設けた本体部と、該本体部を収容するカバー部とを備えている。また、本体部の下面には、前述した自動車に配索されるワイヤハーネスのコネクタが嵌合する。さらに、本体部は、前述した電気部品とワイヤハーネスなどの端子金具とを予め定められたパターンにしたがって接続するバスバなどを収容している。カバー部は、本体部の上面を覆う。
【０００６】
カバー部材は、ゴムなどの弾性変形自在な弾性材料で構成されている。カバー部材は、箱本体のカバー部に取り付けられると、前述したワイヤハーネスのコネクタなどを覆う。
【０００７】
前述した電気接続箱は、箱本体のカバー部と、カバー部材とを互いに固定するために、立設片と、圧入受け部とを備えている。立設片は、カバー部材の箱本体寄りの縁から前記箱本体に向かって立設している。圧入受け部は、筒状に形成されているとともに、箱本体のカバー部のカバー部材寄りの縁部に設けられている。圧入受け部は、カバー部材寄りの端部が開口しかつカバー部材から離れた側の端部が塞がれている。
【０００８】
圧入受け部内に立設片が圧入されることで、カバー部材は、箱本体のカバー部に取り付けられる。カバー部材が箱本体のカバー部に取り付けられると、カバー部材とカバー部との間が水密に保たれ、カバー部材とカバー部との間から箱本体則ち電気接続箱の内側に水などの液体が浸入することが規制される。
【発明の開示】
【発明が解決しようとする課題】
【０００９】
しかしながら、前述した従来から提案されてきた電気接続箱は、立設片を圧入受け部内に圧入して、カバー部則ち箱本体にカバー部材を取り付けているため、立設片を圧入受け部内に圧入すると、該圧入受け部が膨張する方向に弾性変形することがあった。圧入受け部が膨張すると、圧入受け部と立設片との間を水密に保つことが困難となる。この場合、勿論、カバー部材とカバー部との間から箱本体則ち電気接続箱の内側に水などの液体が浸入してしまう。
【００１０】
したがって、本発明の目的は、弾性材料で構成されたカバー部材と箱本体との間を確実に水密に保つことができる電気接続箱を提供することにある。
【課題を解決するための手段】
【００１１】
上記課題を解決し目的を達成するために、請求項１に記載の電気接続箱は、電気部品が装着される箱本体と、弾性材料で構成され、かつ前記箱本体に取り付けられるとともに、前記箱本体に取り付けられると該箱本体との間を水密に保つカバー部材と、を備えた電気接続箱において、前記箱本体と前記カバー部材とのうち一方は、他方に向かって立設した立設片を備え、前記箱本体と前記カバー部材とのうち他方は、前記立設片が圧入される圧入受け部を備え、前記圧入受け部よりも前記箱本体と前記カバー部材とのうち他方の内側に配置されて、前記立設片が前記圧入受け部内に圧入された際に、当該圧入受け部に当接して、前記圧入受け部が前記他方の内側に向かって変形することを規制する変形規制部を備え、前記立設片には、該立設片の外表面に開口してスリットが設けられ、前記立設片が前記圧入受け部内に圧入された後、前記スリット内に圧入される圧入部材を備えたことを特徴としている。
【００１３】
請求項２に記載の電気接続箱は、請求項１に記載の電気接続箱において、前記箱本体は、前記電気部品が装着される本体部と、該本体部を収容するとともに、前記立設片と前記圧入受け部とのうち一方が設けられたカバー部と、を備えたことを特徴としている。
【００１４】
請求項３に記載の電気接続箱は、請求項２に記載の電気接続箱において、前記圧入受け部が、前記カバー部に備えられ、前記立設片が、前記カバー部材に備えられ、前記変形規制部は、前記本体部に設けられたことを特徴としている。
【００１５】
請求項４に記載の電気接続箱は、請求項３に記載の電気接続箱において、前記変形規制部は、前記本体部の外表面から凸に形成され、かつ前記圧入受け部より前記カバー部の内側に配置されたことを特徴としている。
【００１６】
請求項５に記載の電気接続箱は、請求項１乃至請求項４のうちいずれか一項に記載の電気接続箱において、前記圧入部材は、前記スリット内に圧入される圧入部と、この圧入部の一端部から凸でかつ前記圧入部が前記スリット内に圧入されると前記立設片の前記外表面に重なって前記立設片の外側に露出する操作部と、を備えたことを特徴としている。
請求項６に記載の電気接続箱は、請求項１ないし請求項５のうちいずれか一項に記載の電気接続箱において、前記立設片に、前記圧入受け部の内面との間を水密に保つリップが設けられていることを特徴としている。
【００１７】
請求項１に記載の本発明の電気接続箱によれば、変形規制部が、立設片が圧入された圧入受け部が変形することを規制するので、立設片と圧入受け部との間を水密に保つことができる。
【００１８】
また、圧入受け部が内側に向かって変形することを変形規制部が規制するので、立設片と圧入受け部との間を確実に水密に保つことができる。また、立設片のスリット内に圧入部材を圧入するので、圧入受け部内で立設片が変形することを防止できる。
【００１９】
請求項２に記載の本発明の電気接続箱によれば、箱本体が、本体部と、立設片と圧入受け部とのうち一方が設けられたカバー部と、を備えている。このように、装着部が設けられた本体部と、立設片と圧入受け部とのうち一方が設けられたカバー部と、に分割されているため、箱本体の成形が容易になる。
【００２０】
請求項３に記載の本発明の電気接続箱によれば、圧入受け部がカバー部に設けられ、立
設片がカバー部材に設けられているので、立設片を圧入受け部に圧入することで、箱本体にカバー部材を確実に取り付けることができる。
【００２１】
また、変形規制部が、本体部に設けられている則ち立設片と圧入受け部とが設けられた部材とは別体の部材に設けられているので、圧入受け部が変形することを確実に規制できる。
【００２２】
請求項４に記載の本発明の電気接続箱によれば、変形規制部は、本体部の外表面から凸に形成されており、圧入受け部の内側に配置されているので、圧入受け部が変形することを確実に防止できる。
【発明の効果】
【００２４】
請求項１に記載の電気接続箱は、立設片と圧入受け部との間を水密に保つことができるので、カバー部材と箱本体との間を確実に水密に保つことができ、これらの間から水などの液体が箱本体内に浸入することを防止できる。
【００２５】
また、立設片と圧入受け部との間を確実に水密に保つことができるので、カバー部材と箱本体との間をより確実に水密に保つことができ、これらの間から水などの液体が箱本体内に浸入することを確実に防止できる。また、圧入受け部内で立設片が変形することを防止できるので、立設片と圧入受け部の内面とが確実に密着する。したがって、立設片と圧入受け部との間則ちカバー部材と箱本体との間を確実に水密に保つことができる。
【００２６】
請求項２に記載の電気接続箱は、電気部品が装着される本体部と、立設片と圧入受け部とのうち一方が設けられたカバー部と、に分割されているため、箱本体の成形が容易になる。このため、箱本体の寸法精度などを高精度に保つことができ、箱本体則ち電気接続箱の歩留まりを向上させることができる。また、箱本体の成形が容易になるので、箱本体則ち電気接続箱のコストを低減できる。
【００２７】
請求項３に記載の電気接続箱は、圧入受け部がカバー部に設けられ、立設片がカバー部材に設けられているので、立設片を圧入受け部に圧入することで、箱本体にカバー部材を確実に取り付けることができる。
【００２８】
また、変形規制部が、本体部に設けられている則ち立設片と圧入受け部とが設けられた部材とは別体の部材に設けられているので、圧入受け部が変形することを確実に規制できる。このため、立設片と圧入受け部との間をより確実に水密に保つことができ、カバー部材と箱本体との間をより一層確実に水密に保つことができ、これらの間から水などの液体が箱本体内に浸入することをより確実に防止できる。
【００２９】
請求項４に記載の電気接続箱は、変形規制部が、本体部の外表面から凸に形成されており、圧入受け部の内側に配置されているので、圧入受け部が変形することを確実に防止できる。このため、立設片と圧入受け部との間をより一層確実に水密に保つことができ、カバー部材と箱本体との間をより一層確実に水密に保つことができ、これらの間から水などの液体が箱本体内に浸入することをより一層確実に防止できる。
【発明を実施するための最良の形態】
【００３１】
以下、本発明の一実施形態にかかる電気接続箱を、図１ないし図３に基づいて説明する。本実施形態にかかる図１に示す電気接続箱１は、移動体としての自動車に搭載されるとともに、該自動車の電源と、自動車に搭載される各種の電子機器との間に配置される。
【００３２】
電気接続箱１は、図１ないし図３に示すように、箱本体２と、図示しない配線盤と、カバー部材としてのロアカバー３と、圧入部材４と、変形規制部としての変形規制突起５（図３に示す）とを備えている。
【００３３】
箱本体２は、図２及び図３に示すように、本体部６（図３に示す）と、カバー部としてのアッパカバー７とを備えている。本体部６は、硬質な（変形しにくい、殆ど変形しない）絶縁性の合成樹脂で構成され、周知の射出成形により成形される。本体部６は、複数の外壁８により、箱状に形成されている。本体部６の図２の上側に位置する上面（表面に相当）６ａには、図示しないリレー、ヒューズなどの電気部品が装着される装着部が複数設けられている。また、本体部６の上面６ａの裏側に位置する下面６ｂには、自動車に配索される図示しないワイヤハーネスのコネクタが嵌合する。
【００３４】
ワイヤハーネスは、複数の電線と、コネクタなどを備えている。電線は、導電性の芯線と、該芯線を被覆する被覆部とを備えた所謂被覆電線である。少なくとも一本の電線は、前述した電源と接続しており、該電源から電力が供給される。他の電線は、前述した電子機器と接続しており、該電子機器に前述した電源からの電力を供給する。コネクタは、電線の芯線に接続された端子金具と、該端子金具を収容する絶縁性のコネクタハウジングとを備えている。
【００３５】
アッパカバー７は、硬質な（変形しにくい、殆ど変形しない）絶縁性の合成樹脂で構成され、周知の射出成形により成形される。アッパカバー７は、箱状に形成されたカバー本体１１と、圧入受け部１２とを備えている。カバー本体１１は、複数の外壁１３により箱状に形成されている。カバー本体１１則ちアッパカバー７は、本体部６を収容する。
【００３６】
圧入受け部１２は、カバー本体１１の外壁１３のロアカバー３寄りの縁部の全周に設けられている。圧入受け部１２は、外壁１３から立設した立設壁２２と該立設壁２２の箱本体２の内外に位置する両縁からロアカバー３に向かって立設した一対の平行壁２３とを備えて、ロアカバー３側が開口しかつロアカバー３から離れた側が塞がれた有底筒状に形成されている。立設壁２２は、外壁１３に対して直交している。平行壁２３は、外壁１３と平行である。また、一対の平行壁２３のうち外側に位置する一方の平行壁２３には、係止孔２４が複数設けられている。
【００３７】
配線盤は、導電性のバスバと、絶縁板などを備えている。バスバは、導電性の板金に打ち抜き加工などのプレス加工が施されて得られる。複数のバスバは、互いに重ねられている。絶縁板は、互いに重ねられたバスバ間などに配され、バスバ同士が意図しない箇所で相互に電気的に接続すること即ち短絡することを防止するとともに、バスバを位置決めしている。
【００３８】
配線盤は、箱本体２の本体部６内に収容されると、リレー、ヒューズなどの箱本体２の本体部６に装着された電気部品と、本体部６の下面６ｂにコネクタが嵌合したワイヤハーネスの電線とを予め定められたパターンにしたがって、互いに電気的に接続する。配線盤は、前述した電源からの電力を、前述したリレー、ヒューズを介して前述した電子機器に供給するパターンにしたがって、前述した電気部品とワイヤハーネスの電線とを接続する。
【００３９】
ロアカバー３は、ゴムなどの弾性材料で構成されており、周知の射出成形により成形される。ロアカバー３は、カバー本体１４と、立設片１５とを備えている。カバー本体１４は、複数の外壁１６により、箱状に形成されている。立設片１５は、カバー本体１４の外壁１６のアッパカバー７寄りの縁部の全周に設けられている。立設片１５は、前記カバー本体１４の外壁１６のアッパカバー７寄りの縁部からアッパカバー７則ち箱本体２に向かって立設している。立設片１５は、前述した縁部からアッパカバー７則ち箱本体２に向かって立設した板状に形成されており、アッパカバー７から離れた側の端部が前述したカバー本体１４の外壁１６に連なっている。
【００４０】
また、立設片１５には、スリット１７が形成されている。スリット１７は、立設片１５の外表面のうちアッパカバー７則ち箱本体２から離れた側に位置する外表面に開口している。則ち、スリット１７は、後述するように立設片１５を圧入受け部１２内に圧入する方向（圧入される際に移動する方向、以下圧入方向と呼ぶ）の立設片１５の後ろ側に位置する外表面に開口している。スリット１７は、立設片１５の前述した圧入方向に対し直交する方向に沿って互いに裏側に位置する一対の外表面に開口している。
【００４１】
また、スリット１７は、前述したアッパカバー７に向かうにしたがって徐々に幅が狭くなるように形成されている。スリット１７は、立設片１５のアッパカバー７則ち箱本体２寄りの外表面には開口していない。さらに、スリット１７は、立設片１５の全周に設けられている。
【００４２】
前述した構成の立設片１５は、圧入受け部１２内に圧入されて、該圧入受け部１２と嵌合する。すると、立設片１５が圧入受け部１２と嵌合することで、ロアカバー３をアッパカバー７則ち箱本体２に固定する（取り付ける）。ロアカバー３とアッパカバー７則ち箱本体２とが互いに取り付けられると、ロアカバー３とアッパカバー７との間が水密に保たれる。さらに、立設片１５には、圧入受け部１２内に圧入された際に、前述した係止孔２４と重なる係止孔２５が複数設けられている。
【００４３】
圧入部材４は、硬質な（変形しにくい、殆ど変形しない）絶縁性の合成樹脂で構成され、周知の射出成形により成形される。圧入部材４は、図２に示すように、枠状に形成された圧入部１８と、操作部１９とを備えている。圧入部１８は、平板状に形成されている。圧入部１８は、スリット１７内に圧入される。
【００４４】
操作部１９は、圧入部１８の一端部から凸に形成され、かつ前述した圧入方向に対し直交する方向に沿って直線状に延びている。操作部１９は、圧入部１８の全周に設けられている。操作部１９は、圧入部１８がスリット１７内に圧入されると、立設片１５の前述した外表面に重なってスリット１７則ち立設片１５の外側に露出する。操作部１９は、立設片１５の外側に露出することで、圧入部１８をスリット１７外に抜き取ることを容易にしている。
【００４５】
リップ２０は、立設片１５の外表面から凸に形成されており、前述した圧入方向に対し直交する方向に沿って直線状に延在している。リップ２０は、立設片１５の全周に設けられている。リップ２０は、圧入受け部１２の内面と当接して、該圧入受け部１２の内面との間を水密に保つ。また、圧入部材４は、係止孔２５内を通って係止孔２４に係止可能な係止突起２６を複数備えている。
【００４６】
前述した圧入部材４は、圧入部１８がスリット１７内に圧入されて、係止突起２６が係止孔２５内に侵入することで、圧入受け部１２内でスリット１７が狭くなる方向に立設片１５が変形することを規制する。圧入部材４は、圧入受け部１２内でスリット１７が狭くなる方向に立設片１５が変形することを規制することで、立設片１５と圧入受け部１２の内面とを互いに密着させて、これらの間を水密に保つ。さらに、圧入部材４は、係止突起２６が係止孔２５内を通って係止孔２４に係止することで、ロアカバー３を箱本体２のアッパカバー７に固定する。
【００４７】
変形規制突起５は、箱本体２の本体部６の外壁８の外表面から凸に形成されている。則ち、変形規制突起５は、箱本体２の本体部６に設けられている。また、変形規制突起５は、アッパカバー７の圧入受け部１２より箱本体２の内側に位置する。さらに、変形規制突起５は、アッパカバー７内に本体部６を収容して、圧入受け部１２内に立設片１５を圧入した状態で、前述した立設片１５の圧入受け部１２への圧入方向に対して直交する方向に沿って、前記圧入受け部１２と並設される。このため、変形規制突起５は、圧入受け部１２の他方の平行壁２３が箱本体２内に向かって変位（変形）しようとしても、該他方の平行壁２３と干渉する。そして、変形規制突起５は、立設片１５が圧入受け部１２内に圧入された際に、該圧入受け部１２が箱本体２の内側に向かって変形することを規制する。則ち、変形規制突起５は、圧入受け部１２の変形を規制する。
【００４８】
前述した電気接続箱１は、以下のように組み立てられる。まず、箱本体２内にバスバなどが配索された配線盤が収容されて、箱本体２の本体部６の上面６ａにリレーやヒューズなどの電気部品が装着される。そして、箱本体２の本体部６の下面６ｂ側にワイヤハーネスのコネクタが嵌合される。
【００４９】
その後、本体部６をアッパカバー７内に収容して、立設片１５を圧入受け部１２内に圧入して、アッパカバー７とロアカバー３とを互いに取り付ける。そして、立設片１５のスリット１７内に圧入部材４の圧入部１８を圧入する。そして、係止突起２６が、係止孔２５内を通って係止孔２４に係止する。こうして、前述した構成の電気接続箱１が組み立てられる。
【００５０】
このような電気接続箱１は、自動車に搭載されて、電源などから供給される電力を、バスバ、リレー、ヒューズ、ワイヤハーネスの電線などを介して自動車の電子機器に供給する。
【００５１】
本実施形態の電気接続箱１によれば、変形規制突起５が、立設片１５が圧入された圧入受け部１２が変形することを規制するので、立設片１５と圧入受け部１２との間を水密に保つことができる。このため、ロアカバー３と箱本体２のアッパカバー７との間を確実に水密に保つことができ、これらの間から水などの液体が箱本体２内に浸入することを防止できる。
【００５２】
また、変形規制突起５が、圧入受け部１２が内側に変形することを規制するので、立設片１５と圧入受け部１２との間を確実に水密に保つことができる。したがって、ロアカバー３と箱本体２のアッパカバー７との間をより確実に水密に保つことができ、これらの間から水などの液体が箱本体２内に浸入することを確実に防止できる。
【００５３】
箱本体２が、本体部６と、圧入受け部１２が設けられたアッパカバー７と、を備えている。このように、箱本体２が、リレーやヒューズなどが装着される本体部６と、圧入受け部１２が設けられたアッパカバー７とに分割されているため、成形が容易になる。
【００５４】
このため、箱本体２の寸法精度などを高精度に保つことができ、箱本体２則ち電気接続箱１の歩留まりを向上させることができる。また、箱本体２の成形が容易になるので、箱本体２則ち電気接続箱１のコストを低減できる。
【００５５】
圧入受け部１２がアッパカバー７に設けられ、立設片１５がロアカバー３に設けられているので、立設片１５を圧入受け部１２に圧入することで、箱本体２にロアカバー３を確実に取り付けることができる。
【００５６】
また、変形規制突起５が、本体部６に設けられている則ち立設片１５が設けられたロアカバー３と圧入受け部１２が設けられたアッパカバー７とは別体の部材に設けられているので、圧入受け部１２が変形することを確実に規制できる。このため、立設片１５と圧入受け部１２との間をより確実に水密に保つことができ、ロアカバー３と箱本体２との間をより一層確実に水密に保つことができ、これらの間から水などの液体が箱本体２内に浸入することをより確実に防止できる。
【００５７】
変形規制突起５は、本体部６の外表面から凸に形成されており、圧入受け部１２の内側に配置されているので、圧入受け部１２が変形することを確実に防止できる。
【００５８】
立設片１５のスリット１７内に圧入部材４を圧入するので、圧入受け部１２内で立設片１５が変形することを防止できる。このため、立設片１５と圧入受け部１２の内面とが確実に密着する。したがって、立設片１５と圧入受け部１２との間則ちロアカバー３と箱本体２との間を確実に水密に保つことができる。
【００５９】
また、立設片１５を圧入受け部１２内に圧入した後に、スリット１７内に圧入部材４の圧入部１８を圧入するので、立設片１５を圧入受け部１２内に圧入する際に、スリット１７が縮小するように立設片１５が変形自在となる。このため、立設片１５を圧入受け部１２に圧入しやすくなり、ロアカバー３を箱本体２に取り付けやすくなる。
【００６０】
前述した実施形態では、箱本体２のアッパカバー７に圧入受け部１２を設け、ロアカバー３に立設片１５を設けている。しかしながら、本発明では、図４に示すように、箱本体２のアッパカバー７にロアカバー３に向かって立設した立設片１５を設け、ロアカバー３に圧入受け部１２を設けても良い。なお、図４に示す場合において、前述した実施形態と同一部分には、同一符号を付して説明を省略する。なお、図４に示す場合では、本体部６は、前述した外壁８の下縁より突出した突出片２１を備えている。図４に示す場合では、前述した突出片２１の外表面に前述した変形規制突起５を設けている。
【００６１】
さらに、本発明では、圧入受け部１２と立設片１５とのうち一方を本体部６に設け、他方をロアカバー３に設け、変形規制突起５をアッパカバー７に設けても良い。この場合、変形規制突起５を圧入受け部１２より箱本体２の外側に設けるのが望ましい。
【００６３】
さらに、本発明では、本発明の主旨に反しない限り、変形規制突起５を種々の部材に配置しても良いとともに、変形規制部を種々の構成にしても良い。また、本発明の主旨に反しない限り、圧入部材を種々の形状にしても良い。
【００６４】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６５】
【図１】本発明の一実施形態に係る電気接続箱の斜視図である。
【図２】図１に示された電気接続箱の分解斜視図である。
【図３】図１中のＩＩＩ−ＩＩＩ線に沿う断面図である。
【図４】図３に示された電気接続箱の変形例を示す断面図である。
【符号の説明】
【００６６】
１  電気接続箱
２  箱本体
３  ロアカバー（カバー部材）
４  圧入部材
５  変形規制突起（変形規制部）
６  本体部
６ａ  上面（表面）
７  アッパカバー（カバー部）
１２  圧入受け部
１５  立設片
１７  スリット
【図１】
0004718925.tif 000002
【図２】
0004718925.tif 000003
【図３】
0004718925.tif 000004
【図４】
0004718925.tif 000005